(57)【要約】      （修正有）【課題】外形はコンパクトなのに画面が本体のn倍に大きくなるスマートフォンを提供する。【解決手段】画面２、２０の縦の外枠を無くしてギリギリ迄画面としたことで画面２と画面２０が続いた一枚の画像となり、２＋２０の大画面と左右スピーカ２１、２１０からのステレオサウンドで楽しめる。本体１、１００の夫々の左右端に設けたカメラで左右別々の画像で撮影すると、画面２、２０に左右画像が出る。セパレータ２４と左右レンズ１４、１６を設けた三次元装置２３を両眼１５、１７の前に置き、スマホ画面２、２０を見ると画像は立体化して見え、スピーカ２１、２１０から出た音２２、２２０で立体的に聞こえる。【選択図】図５
2019176313.tif 000002
【特許請求の範囲】
【請求項１】
n個に連結した事を特徴とするスーパースマートフォン
【発明の詳細な説明】
【技術分野】
【０００１】
スマートフォン
【背景技術】
【０００２】
平成３０年（２０１８）２月２６日の日本経済新聞夕刊の第１面トップ記事に「スマホ進化曲がり角」「サムスン機能、新味に乏しく」とあるように、今やスマートフォンの進化が止まってしまった。
【発明の概要】
【発明が解決しようとする課題】
【０００３】
上記のごとく今やスマートフォンの進化が止まってしまったので、全く新しい機能を有するスマートフォンの発明を提供する。
【課題を解決するための手段】
【０００４】
スマートフォンを複数個連結し、機能を多角的に増大する。
【発明の効果】
【０００５】
本発明により外形はコンパクトなのに画面が本体のn倍に大きくなる事、ケース不要で画面を保護出来る事、画像をタッチ出来ないように出来るので誤動作が起こらない事、画像が自立出来、これを見る事が出来る事、スマホの表裏を画面に出来るので対面者が同時に画面を見られる事、表と裏から同時に撮影出来る事、３６０°の写真を瞬時に撮れる事、キーボードと情報が別々の画面に表示出来る事、スマホが小さいのに大きなキーボードと大きな画面を見ながら入力操作し得る事、三次元画像とステレオ音を得る事、これらの特徴をn倍に拡張出来る事。
【図面の簡単な説明】
【０００６】
【図１】本発明実施例１の正面展開図
【図２】同上裏面展開図
【図３】本発明実施例２の裏面展開図
【図４】本発明実施例の展開図上面図
【図５】本発明実施例立体画像ステレオ音響説明図
【図６】本発明実施例画面を内側に閉じた上面図
【図７】本発明実施例画面を外側に閉じ、両側から複数の人が使用する上面図
【図８】本発明実施例タイプライタの如くキーボードと画面使用の側面図
【図９】同上上面図
【図１０】本発明実施例扉状に画面を開いてデスクに置いた上面図
【図１１】本発明実施例n個のユニットを連結した平面図
【発明を実施するための形態】
【０００７】
図１は本発明の第１実施例と第２実施例でスマートフォン１にもう１つのスマートフォン１００を蝶番１３で結合したものであり、中央上部にカメラ４００、４０００を設けたのが本発明第一実施例で、左右端４、４０に設けたのが本発明第２実施例である。本発明本体１、１００を拡げた平面図が第一図である。
２はスマホ画面、３はカメラシャッターボタン、５はホームボタン、６は電源ボタン、７は音量減ボタン、８は音量増ボタンである。尚、蝶番１３は単に物理的に本体１と本体１００をつなげているだけでなく、電気的にも本体１と本体１００がつながるようになっている（図示せず）
【０００８】
図２は本発明の第３実施例で本体１、１００を拡げて裏から見た平面図であり、カメラを裏側に設けない。１１は充電用コンタクトである。
【０００９】
図３は本発明の第４の実施例で本体１、１００を拡げて裏から見た平面であり本体１、１００の夫々の左右端にカメラ１２、１２０を設けたものである。
【００１０】
図４は図１と図３の本発明実施例を拡げて上から見た図である。４つのカメラ４、４０、１２、１２０を全部使用しないで、４と４０のみ、１２と１２０のみ使う、又はこれら各個を任意に組み合わせて撮影出来る。すべてのカメラをつなげた大画像、３６０度の画像、片側カメラの画像、大きな自撮り画像、表裏同時画像対面者同時画像等、地表と空同時画像等、従来スマホでは取れない画像が画面２、２０に撮影映出来る第五の実施例である。
【００１１】
図５は本発明の第６の実施例で本体１の左端にスピーカ２１、本体１００の右端にスピーカ２１、本体１００の右端にスピーカ２１０を設けたものである。
画面２、２００の縦の外枠を無くしてギリギリ迄画面とした実施例で画面２と画面２０が続いた一枚の画像となり、２＋２０の大画面と左右スピーカ２１、２１０からのステレオサウンドで楽しめる。図４に示したカメラ１２、１２０で左右別々の画像で撮影すると、画面２、２０に左右画像が出る。
これを図５に示す如くセパレータ２４と左右レンズ１４、１６を設けた三次元装置２３を両眼１５、１７の前に置き、スマホ画面２、２０を見ると画像は立体化して見え、スピーカ２１、２１０から出た音２２、２２０で立体的に聞こえる。
【００１２】
図６は本発明スマホの画面２と画面２０を内向きに向かい合わせて折り畳んだ第６の実施例を示し、このようにする事により本発明は画面を保護する事が出来、又、両面にタッチ出来ないので誤動作を防止できる効果を説明した第７実施例である。
【００１３】
図７は図６と逆に画面２と画面２０を外向きに折り畳み、本体の表裏に画面がある第８の実施例を示し、これによりカメラ４は自分２１を、カメラ４０は相手２２を撮影し、夫々の顔を画面２０と画面２に同時に撮すものである。
そのほか相手２２がいない場合、自分の前方と後方の風景を同時に撮ったり、本発明スマホを水平にして、地表と空を同時に撮り両面に表示するという公知のスマホでは不可能であった事が本発明スマホにより可能となる。
【００１４】
図８と図９は、本発明第９の実施例を示し、本体１と本体１００をつなぐ蝶番
２５が本体１と本体１００が成す角度を任意の角度で止められる蝶番２５を設けたものである。
蝶番２５は勿論電気的に本体１と本体１００につないである。
図８のごとく本発明スマホ本体１を水平に机に置き、本体１００の角度を画面１９が見やすい角度にした側面図であり、図９はその上面図である。
本発明はこの様な構造になっているので、本体１の画面１８にフルキーボードを表示出来、それにより打ち出された文字や画像をフル画面１９で見ることが出来るので、公知のスマホのように小さな画面をキーボートと画面で取り合ったり、キーボードが小さく操作し難い事や、打ち出された画面が小さいなどの不満を本発明で解消する事が出来る。
【００１５】
図１０は本発明第１０の実施例で本体１と本体１００を扇状に開いて床上に自立させた状態を上から見た図である。画面が扇状なので擬似的に立体画像になる。
本発明はこの様に扇状にするとスマホが自立するので手で持つ必要が無く、机上で且つ大画面で且つステレオサウンドでスマホを使用出来る。
【００１６】
図１１は本発明の第１１実施例で本体１、本体１００、本体１０００、本体１００００を蝶番１３、１３０、１３００でつなげたものであるが、これは図示の４枚のみならず任意のn枚接続する実施例である。
従って画面も２＋２０＋２００＋２０００＋nと巨大なものに出来る。又、この端と端をつなぎ輪状にすれば視者の周り３６０°の画面を形成する従来のスマホでは全く出来ない事もできる。
【図１】
2019176313.tif 000003
【図２】
2019176313.tif 000004
【図３】
2019176313.tif 000005
【図４】
2019176313.tif 000006
【図５】
2019176313.tif 000007
【図６】
2019176313.tif 000008
【図７】
2019176313.tif 000009
【図８】
2019176313.tif 000010
【図９】
2019176313.tif 000011
【図１０】
2019176313.tif 000012
【図１１】
2019176313.tif 000013